(57)【要約】  【課題】屋根ユニット（登り木）同士間の接合部における雨漏れを確実に阻止し、屋根ユニットの解体・再設置を繰り返し簡単に施工できるようにする。  【解決手段】屋根フレームに張設した下地パネル１２の上に下葺材１６及び屋根材が固定され、且つ、連接端部に登り木１４,１４を設けて成る複数の屋根ユニット１０,１０と、該複数の屋根ユニット１０,１０の連接箇所に設置される所定サイズの箱型のカバー１１とを予め工場にて製造する。次に、施工現場において前記複数の屋根ユニット１０,１０を前記登り木１４,１４同士が接合するように連接一体化した後、該屋根ユニット１０,１０の連接箇所に前記箱型のカバー１１を被着し、該カバー１１により前記接合された双方の登り木１４,１４を施蓋する。これにより、双方の登り木１４,１４間の接合部Ｊにおける雨漏れを防止する。【選択図】図１
2008057256.tif 000002
【特許請求の範囲】
【請求項１】
屋根フレームに張設した下地パネルの上に下葺材及び屋根材を固定して成る屋根ユニットを複数製造すると共に、各屋根ユニットの連接端部に夫々登り木を設け、該複数の屋根ユニットを互いに前記登り木同士が接合するように連接一体化して成る組立式屋根構造であって、
前記屋根ユニットの連接箇所に所定サイズのカバーを被着し、該カバーにより前記接合された双方の登り木を施蓋したことを特徴とする組立式屋根構造。
【請求項２】
上記カバーは前記双方の登り木に着脱可能に嵌合装着され、且つ、該カバーの下端部に水切り用の返し部が設けられていることを特徴とする請求項１記載の組立式屋根構造。
【請求項３】
屋根フレームに張設した下地パネルの上に下葺材及び屋根材が固定され、且つ、連接端部に登り木を設けて成る複数の屋根ユニットと、該複数の屋根ユニットの連接箇所に設置される所定サイズのカバーとを形成し、
施工現場において前記複数の屋根ユニットを前記登り木同士が接合するように連接一体化した後、該屋根ユニットの連接箇所に前記カバーを被着し、該カバーにより前記接合された双方の登り木を施蓋することを特徴とする組立式屋根施工法。
【発明の詳細な説明】
【技術分野】
【０００１】
本発明は組立式屋根構造及び組立式屋根施工法に関するものであり、特に、屋根ユニットに設けた登り木の接合部における雨漏りを防水する組立式屋根構造及び組立式屋根施工法に関するものである。
【背景技術】
【０００２】
近年、住宅建設の技術分野では現場作業を軽減するために、屋根の各構成部材のプレハブ化ないしユニット化が進められている。例えば、木造住宅の屋根ユニット（連棟組立体）を工場で製造する場合は、先ず、図８（ａ）及び（ｂ）に示すように、複数の柱１間に架設した小屋梁２に小屋束３を立設した後、該小屋束３に屋根フレームである棟木４及び母屋材５を掛け渡す。次に、図８（ｃ）及び（ｄ）に示すように、該棟木４及び母屋材５の上に垂木６を設けると共に、該垂木６の上に下地パネル（野地板）７を張り付けることにより、基本的構成の屋根ユニット７を製造している。
【０００３】
このように、モジュール化された複数の屋根ユニットを予め工場で製造した後、該複数の屋根ユニットを建設現場まで輸送し、複数の屋根ユニットを相互に連接して一体化して所望の組立式屋根構造を構築している。この場合、屋根ユニットに必要な登り木、下葺材、屋根材等を予め全て葺き上げることにより、現場で必要な作業は、屋根ユニットの接合部を連結させる作業のみで済み、屋根の組立施工を短期間で完了させることができる（例えば、特許文献１参照）。
【特許文献１】特開２００５−２９０７９３号公報。
【発明の開示】
【発明が解決しようとする課題】
【０００４】
上記特許文献１記載の従来技術は、現場での施工作業を軽減するため、登り木、下葺材、屋根材等の屋根構成部材を組み合わせて屋根ユニットとして工場にて一体化して製造している。しかし、面積の広い屋根を形成しようとした場合、屋根ユニットの運搬上の観点から屋根ユニットの面積は一定値以下に制限される。そのため、広い面積の屋根を形成するには、面積が一定値以下の屋根ユニットを複数工場にて製造した後、これを現場まで搬送し、複数の屋根ユニット同士を連接結合して広い面積の屋根を形成している。
【０００５】
このように、屋根ユニット同士を連接結合して屋根を形成した場合は、該屋根ユニット同士の間に連接部が発生する。その結果、該屋根ユニットの連接端部に相当する部分、即ち、下地パネルの端部に設けた登り木同士の間に非連続的な接合部が発生する。しかし、この接合部は連続面を形成しないため、該接合部から雨水が侵入する恐れがあり、雨仕舞いを不安定にさせるという問題があった。
【０００６】
又、住宅展示場等の建設現場では、一旦複数の屋根ユニット同士を連結して屋根を構築した後に、該屋根ユニットを他の建設現場で設置（転用）することがあるが、未だこれに容易に対応できる屋根ユニットの連接・組立方式は開発されていない。かかる実情において、住宅建設業者の間では、屋根ユニットの解体及び再設置を繰り返し、且つ、簡単に施工できる屋根ユニットの連接・組立方式が強く要望されている。
【０００７】
そこで、屋根ユニットの連接部Ｃにおける雨仕舞いを安定させ、且つ、屋根ユニットの解体と再設置を繰り返し簡単に施工できるようにするために解決すべき技術的課題が生じてくるのであり、本発明はこの課題を解決することを目的とする。
【課題を解決するための手段】
【０００８】
本発明は上記目的を達成するために提案されたものであり、請求項１記載の発明は、屋根フレームに張設した下地パネルの上に下葺材及び屋根材を固定して成る屋根ユニットを複数製造すると共に、各屋根ユニットの連接端部に夫々登り木を設け、該複数の屋根ユニットを互いに前記登り木同士が接合するように連接一体化して成る組立式屋根構造であって、前記屋根ユニットの連接箇所に所定サイズのカバーを被着し、該カバーにより前記接合された双方の登り木を施蓋した組立式屋根構造を提供する。
【０００９】
この構成によれば、前記カバーにより登り木同士間の接合部を施蓋するので、雨天時に登り木同士間の接合部に雨水が侵入することが防止される。又、設置した屋根ユニットを解体する際は、前記カバーを取り外すのみで屋根ユニットの解体を行える。
【００１０】
請求項２記載の発明は、上記カバーは前記双方の登り木に着脱可能に嵌合装着され、且つ、該カバーの下端部に水切り用の返し部が設けられている請求項１記載の組立式屋根構造を提供する。
【００１１】
この構成によれば、前記カバーを前記登り木に嵌合すると、同時にカバーの装着と位置決め固定が自動的に行われる。又、カバーの下端部に返し部を設けたので、カバーの下端部に達した雨水は速やかに水切りされる。
【００１２】
請求項３記載の発明は、屋根フレームに張設した下地パネルの上に下葺材及び屋根材が固定され、且つ、連接端部に登り木を設けて成る複数の屋根ユニットと、該複数の屋根ユニットの連接箇所に設置される所定サイズのカバーとを形成し、施工現場において前記複数の屋根ユニットを前記登り木同士が接合するように連接一体化した後、該屋根ユニットの連接箇所に前記カバーを被着し、該カバーにより前記接合された双方の登り木を施蓋する組立式屋根施工法を提供する。
【００１３】
この構成によれば、登り木を設けた複数の屋根ユニットと、該複数の屋根ユニットの連接部Ｃに設置されるカバーは、予め工場等にて製造した後に施工現場に搬送して組み立てる。そして、施工現場では、該屋根ユニット同士を連接して、双方の登り木を互いに接合させる。この後、屋根ユニット同士の連接箇所にカバーを被着することにより、該カバーにより前記登り木の接合部が施蓋される。
【発明の効果】
【００１４】
請求項１記載の発明は、前記カバーにより登り木同士間の接合部Ｊにおける雨漏れを確実に防止することができる。
【００１５】
又、カバーのみを着脱することで、屋根ユニットを簡単迅速に解体して再度設置を繰り返し何度でも施工することができる。
【００１６】
請求項２記載の発明は、カバーは登り木に嵌装するのみで、装着と位置決め固定が自動的に行われるので、請求項１記載の発明の効果に加えて、カバーの脱着が一層簡単になり、これに伴い屋根ユニットの連結及び解体をより迅速に施工できる。又、カバーの下端部に達した雨水は速やかに水切りされるので、排水処理がスムーズになる。又、返し部はカバーの剛性強度を向上させる。
【００１７】
請求項３記載の発明は、該カバーにより前記登り木の接合部を施蓋したので、登り木の接合部への雨水の侵入を確実に阻止でき、且つ、屋根ユニットの解体と再設置を繰り返し簡単に行える新規な組立式屋根施工法を提供できる。
【発明を実施するための最良の形態】
【００１８】
本発明は、屋根ユニットの登り木同士間の接合部Ｊにおける雨漏れを確実に阻止し、且つ、屋根ユニットの解体・再設置を繰り返し簡単に施工できるという目的を、屋根フレームに張設した下地パネルの上に下葺材及び屋根材を固定して成る屋根ユニットを複数製造すると共に、各屋根ユニットの連接端部に夫々登り木を設け、該複数の屋根ユニットを互いに前記登り木同士が接合するように連接一体化して成る組立式屋根構造であって、前記屋根ユニットの連接箇所に所定サイズのカバーを被着し、該カバーにより前記接合された双方の登り木を施蓋したことにより実現した。
【実施例】
【００１９】
以下、本発明の好適な一実施例を図面に従って説明する。本実施例は、予め工場生産された組立式連棟体としての複数の屋根ユニット１０及び箱型のカバー１１を住宅建設の施工現場（住宅展示場を含む）まで輸送して、図１に示すように、屋根ユニット１０同士の連接箇所にカバー１１を被着して、隣接する各屋根ユニット１０の連接端部に設けた登り木１４同士間の接合部Ｊに雨水が侵入しないように構成したものである。
【００２０】
複数の屋根ユニット１０及び箱型のカバー１１は予め工場にて製造される。先ず、屋根ユニット１０の製造工程例を図２乃至図４に基づいて説明する。図２（ａ）に示すように、母屋材等の屋根フレーム（図示せず）に下地パネルである野地板１２を張設し、この野地板１２の軒先側端縁部分に唐草１３を取り付ける。次に、図２（ｂ）に示すように、野地板１２のユニット連接端部（連棟部）に、例えば３０ｍｍ角の登り木１４を釘打ちして固定したのち、図２（ｃ）に示すように、野地板１２の外周端部に沿って防水テープ１５を貼着する。この場合、防水テープ１５に代えてシーリング材を塗布しても良い。
【００２１】
この後、図２（ｄ）に示すように、野地板１２及び登り木１４の上に、横幅１ｍ、厚さ０.５〜１.５ｍｍ程度の下葺材（アスファルトルーフィング）１６を所要の数枚並べて敷設し、この場合、該下葺材１６は表面に皺が生じないようにタッカー止めして施工する。そして、図２（ｅ）に示すように、複数の下葺材１６の連棟部側端縁に沿って、板金製の捨水切り部材１７を釘打ちして固定する。
【００２２】
尚、棟部を挟む両側の下葺材１６及び捨水切り部材１７の棟部納まりについては、図３（ａ）に示すように、棟部を挟む一方側の下葺材１６及び捨水切り部材１７の上端部を、他方側の屋根斜面に夫々所定寸法だけ延在させて折り曲げる。又、棟部を挟む両側の登り木１４の上端面の間に空隙が生じるが、該空隙と対応する一方側の捨水切り部材１７の端部をカットし、且つ、他方側の捨水切り部材１７の上端部は、図３（ｂ）に示すように、所定寸法だけ一方側の捨水切り部材１７に重合させて、余分な部分を切り取ってシーリングを施す。
【００２３】
ここで、上記捨水切り部材１７の形状として例えば、図４（ａ）に示すように、下葺材１６上面に当接する水平部１７ａと、該水平部１７ａの他端部上面に垂設され、且つ、登り木１４外側面に当接する略Ｉ字形の起立部１７ｂとから構成することができる。この場合、図４（ｂ）に示すように、該起立部１７ｂの上端に、水平部１７ａと反対側に延出する水平部１７ｃを連設しても良い。特に、図４（ｂ）の捨水切り部材１７は、起立部１７ｂと水平部１７ｃで断面逆Ｌ字型を形成するため、該逆Ｌ字型部を前記登り木１４の上側角部に嵌合装着できる。尚、１７ｄ，１７ｅは、水平部１７ａ、起立部１７ｂの端部をＵ字状に曲げた水切り用の返し部である。
【００２４】
前述のように捨水切り部材１７を釘打して固定したら、次に、図２（ｆ）に示すように、該釘打ち部にシーリング材１９を塗布すると共に、前記捨水切り部材１７と下葺材１６の間にシーリング材２０を塗布する。このあと、図２（ｇ）に示すように、下葺材１６の上に複数の屋根材２１を互いに連接させ、該屋根材２２の所定箇所を釘打ちして下葺材１６上に敷設固定する。以上により、現場施工に必要な登り木１４、下葺材１６及び屋根材２１等を野地板１２上に葺き上げて成る屋根ユニット１０が製造される。
【００２５】
前記工場においては、登り木１４と対応する規格品であるカバー１１も鉄板（亜鉛鉄板、ガリバリウム）により成形加工して製造する。このカバー１１は、図５（ａ）及び図６（ａ）に示すように、下面が開放した所定サイズの箱状に形成する。前記カバー１１の形状は、屋根ユニット１０,１０同士を連接した時に互いに接合する双方の登り木１４に着脱可能に嵌合する形状、例えば、断面コ字状又は断面Ω字状に形成することができる。
【００２６】
図５（ａ）に示すように、断面コ字状のカバー１１の場合は、所定幅を有する上底面部１１ａと、該上底面部１１ａの幅方向両端より垂下する両側面部１１ｂ，１１ｂとを有する。又、断面Ω字状のカバー１１の場合は、図５（ｂ）に示すように、  図５（ａ）のものに加えて、前記両側面部１１ｂ，１１ｂの下端に連設した裾部１１ｃが付設され、該裾部１１ｃは水平方向外側に延在して形成する。又、カバー１１の下縁部には水切り用の返し部１１ｅ，１１ｆが設けられ、該返し部１１ｅ，１１ｆは、両側面部１１ｂ，１１ｂの内側又は裾部１１ｃの下側にＵ字状に折曲して形成されている。
【００２７】
尚、前記カバー１１の形状は、施工現場で屋根ユニット１０,１０同士の連接部Ｃに設置することにより、相互に並行に接合された双方の登り木１４,１４を上方より装着包囲できる形状であればよく、図示例に限定されるものではない。
【００２８】
このようにして工場生産された複数の屋根ユニット１０,１０とカバー１１は、施工現場に搬入して組み立てられる。この組立てでは、相互に連接される屋根ユニット１０,１０の一方は、クレーン等で吊り上げながら、他方の屋根ユニット１０の他方に連結して組み立てられる。そして、隣接する屋根ユニット１０,１０同士を連結する際、各屋根ユニット１０,１０の連接端部に設けた双方の登り木１４，１４は、図６（ｂ）に示すように、該登り木１４，１４の側面同士が互いに並行して接合するように施工される。この登り木１４，１４同士の接合部Ｊには、図１の構成例では、該接合部Ｊに沿って所定幅の防水テープ２３を張り付けて防水性を高めているが、該防水テープ２３は省略することもできる。
【００２９】
然る後、屋根ユニット１０,１０の連接箇所に箱型のカバー１１を被着し、カバー１１により双方の登り木１４，１４を覆う。この場合、カバー１１の両側面部１１ｂ，１１ｂを登り木１４，１４外面に上方より嵌合させて外装する。この後、カバー１１の所定箇所を釘打ちして登り木１４，１４に固定する。斯くして、双方の登り木１４，１４の全体が１個のカバー１１によって水密に施蓋される。
【００３０】
本発明は、図示例の屋根構造に限定されず、屋根ユニット１０,１０の連接端部に登り木１４を設けたものであれば、図７（ａ）〜（ｄ）に例示する他のタイプのものにも適用可能である。即ち、図７（ａ）又は図７（ｂ）の屋根構造は、野地板１２の上に防水テープ１５と下葺材１６を任意の順序で取り付けた後、下葺材１６の上に登り木１４を取り付けたものである。
【００３１】
又、図７（ｃ）は、野地板１２の上に登り木１４を固定した後、登り木１４と野地板１２の間にシーリング材２４を塗布したものである。更に、図７（ｄ）は、野地板１２の上に下葺材１６を取り付けた後、該下葺材１６の上に登り木１４を設け、該登り木１４と下葺材１６の間にシーリング材２５を塗布したものである。
【００３２】
以上の如く本実施例は、隣接する屋根ユニット１０，１０同士の連接箇所（接合箇所）Ｃ、即ち、互いに接合する双方の登り木１４，１４全体にカバー１１を嵌合被着し、該登り木１４，１４間の接合部Ｊを水密に施蓋したので、屋根に大雨が降った場合でも、該接合部Ｊに雨水が侵入することを確実に防止することができる。
【００３３】
又、複数の屋根ユニット１０，１０同士を連接して設置した後に、該屋根ユニット１０，１０を解体する際は、登り木１４，１４に嵌合被着したカバー１１のみを取り外すことで、該屋根ユニット１０，１０を簡単に解体できる。この解体した屋根ユニット１０，１０は、他の建設現場に搬送して再び何度でも繰り返して転用できる。特に、住宅展示場の建設現場において、複数の屋根ユニット１０，１０を連接して組み立てた後に短時間で解体できるので、次の住宅展示場で再び容易に組み立てることができる。
【００３４】
上記カバー１１は、登り木１４，１４に着脱自在に嵌合する断面コ字状又はΩ字状に形成することにより、カバー１１を登り木１４，１４に嵌合でき、該嵌合これと同時に、カバー１１の位置決め装着が自動的に行われる。又、このカバー１１は、登り木１４，１４から取り外すのみで簡単に脱着できるので、屋根ユニット１０，１０の連結及び解体作業も一層迅速に行うことができる。
【００３５】
更に、カバー１１の下端部に水切り用の返し部１１ｅ，１１ｆを設けたので、仮にカバー１１の下端部に雨水が浸透したとしても、この雨水は返し部１１ｅ，１１ｆにより速やかに水切りされて排出される。加えて、該返し部１１ｅ，１１ｆによりカバー１１の剛性強度が増大する。
【００３６】
なお、本発明は、本発明の精神を逸脱しない限り種々の改変をなすことができ、そして、本発明が該改変されたものにも及ぶことは当然である。
【図面の簡単な説明】
【００３７】
【図１】本発明の一実施例を示し、組立式屋根構造の屋根ユニット接合部の断面図。
【図２】一実施例に係る屋根ユニットの軒先側の製造工程図であり、（ａ）は唐草を施工する時の工程図、（ｂ）は登り木を施工する時の工程図、（ｃ）は防水テープを施工する時の工程図、（ｄ）は下葺材を施工する時の工程図、（ｅ）は捨水切り部材を施工する時の工程図、（ｆ）はシーリングする時の工程図、（ｇ）は屋根材を施工する時の工程図。
【図３】一実施例に係る屋根ユニットの棟部側の製造工程図であり、（ａ）は捨水切り部材の一部をカットする時の工程図、（ｂ）は捨水切り部材にシーリングを施工する時の工程図。
【図４】一実施例に係る捨水切り部材の形状を示す断面図であり、（ａ）は断面Ｌ形の捨水切り部材の断面図、（ｂ）は（ａ）のものに水平部を付設した形状の捨水切り部材の断面図。
【図５】一実施例に係るカバーの形状を示す断面図であり、（ａ）は断面コ字状のカバーの断面図、（ｂ）は断面Ω字状のカバーの断面図。
【図６】一実施例に係る構成要部を示す斜視図であり、（a）はカバーを説明する要部斜視図、（b）は登り木の接合部を説明する要部斜視図。
【図７】本発明の他の実施形態１,２,３及び４の一方の屋根ユニットを示す断面図であり、（ａ）は他の実施形態１の一方の屋根ユニットを示す断面図、（ｂ）は他の実施形態２の一方の屋根ユニットを示す断面図、（ｃ）は他の実施形態,３の一方の屋根ユニットを示す断面図、（ｄ）は他の実施形態４の一方の屋根ユニットを示す断面図。
【図８】従来例に係る屋根ユニットの製造を示す工程図であり、（ａ）は小屋束を施工した時の工程図、（ｂ）は棟木及び母屋材を施工した時の工程図、（ｃ）は垂木を施工したした時の工程図、（ｄ）は下地パネルを施工した時の工程図。
【符号の説明】
【００３８】
１０  屋根ユニット
１１  カバー
１２  野地板（下地パネル）
１３  唐草
１４  登り木
１５  防水テープ
１６  下葺材
１７  捨水切り部材
１９  シーリング材
２０  シーリング材
２１  屋根材
２３  防水テープ
２４  シーリング材
２５  シーリング材  
【図１】
2008057256.tif 000003
【図２】
2008057256.tif 000004
【図３】
2008057256.tif 000005
【図４】
2008057256.tif 000006
【図５】
2008057256.tif 000007
【図６】
2008057256.tif 000008
【図７】
2008057256.tif 000009
【図８】
2008057256.tif 000010